(57)【要約】【課題】コマンド送信期間後の待機期間を短縮して通信品質の向上と通信及びシステム全体のパフォーマンスの向上を図る。【解決手段】非接触ＩＣカードに対してコマンドを送信する送信回路２２と、非接触ＩＣカードからの送信信号を受信し、受信信号を増幅する増幅回路２３ｃを有し、増幅回路２３ｃに設けられて受信信号が印加されるインピーダンス素子のインピーダンスを、コマンドの送信期間に低下させて増幅回路２３ｃの入力信号をミュートする受信回路２３とを具備したことを特徴とする。【選択図】図２
2005242989.tif 000002
【特許請求の範囲】
【請求項１】
非接触ＩＣカードに対してコマンドを送信する送信回路と、
前記非接触ＩＣカードからの送信信号を受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路と
を具備したことを特徴する非接触ＩＣカードのリーダライタ端末装置。
【請求項２】
前記受信回路は、
前記インピーダンス素子に対して並列に接続され、制御信号に応じてスイッチ制御されるスイッチ素子を含むことを特徴する請求項１記載の非接触ＩＣカードのリーダライタ端末装置。
【請求項３】
前記スイッチ素子は、ソース、ドレイン間が前記インピーダンス素子に対して並列に接続され、ゲートにミュート信号が供給されるＭＯＳトランジスタからなることを特徴する請求項２記載の非接触ＩＣカードのリーダライタ端末装置。
【請求項４】
前記スイッチ素子は、前記コマンドの送信期間中に継続してオン状態となるように前記ミュート信号で制御されることを特徴する請求項３記載の非接触ＩＣカードのリーダライタ端末装置。
【請求項５】
前記スイッチ素子は、前記コマンドに対応するレスポンスの受信前の期間に一時的にオン状態となるように前記ミュート信号で制御されることを特徴する請求項３記載の非接触ＩＣカードのリーダライタ端末装置。
【請求項６】
コマンドを受信してレスポンスを送信する非接触ＩＣカードと、
アンテナを介して前記非接触ＩＣカードに対してコマンドを送信する送信回路と、前記非接触ＩＣカードからの送信信号を前記アンテナを介して受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路とを含むリーダライタ端末装置と
を具備したことを特徴とする通信システム。
【請求項７】
アンテナを介してコマンドを送信する送信回路と、前記アンテナで受信された受信信号を受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路とを含むリーダライタ端末部と、
前記アンテナに接続され、前記アンテナを介してコマンドを受け、このコマンドに対応したレスポンスを前記アンテナから送信する非接触ＩＣカード部と
を具備したことを特徴とする非接触データキャリア。
【発明の詳細な説明】
【技術分野】
【０００１】
この発明は、非接触ＩＣカード、ＲＦＩＤ（Radio Frequency IDentification）カード、もしくは非接触データキャリア（以下、これらを総称して非接触ＩＣカードと称する）用のリーダライタ端末装置、リーダライタ端末装置と非接触ＩＣカードとを含む通信システム、及び非接触ＩＣカードとリーダライタ端末装置を内蔵した非接触データキャリアに関する
【背景技術】
【０００２】
非接触ＩＣカードにおけるデータ通信では、一方がコマンドを送信側で、もう一方がコマンドを受けてレスポンスを送信する側となるようなコマンドレスポンス方式が一般に採用される。ただし、通信の初期の時点ではコマンド送信側とコマンド受信側とが定まっていない場合や、通信の途中でコマンド送信側とコマンド受信側とが入れ替わるような場合がある。このような場合でも、短い期間に区切れば、コマンド送信側とコマンド受信側が決まる。
【０００３】
また、非接触ＩＣカードにおけるデータ通信では、規格や個別の仕様等で、コマンドを受信してからレスポンスを出力するまでの時間が規定されている場合が多い。リーダライタ端末装置からみてコマンド送信完了からレスポンス受信開始までの時間を待機期間と呼ぶとする。この待機期間が短いほうが通信のオーバーヘッド時間が短縮でき、通信パフォーマンス的に有利である。
【０００４】
一方、非接触データキャリア内の非接触ＩＣカード側は、バッテリーや、クロック信号生成回路を持たない場合が多い。このような場合、リーダライタ端末側は、レスポンス受信中等のコマンド送信中以外の期間であっても、非接触ＩＣカード側への電力供給、もしくはシステムクロック信号再生のために、搬送波（キャリア）を送信し続けなければならない。
【０００５】
さらに、非接触ＩＣカード側では、レスポンス送信手段として、ロードスイッチング方式が使用される。ロードスイッチング方式とは、非接触ＩＣカード側で、非接触ＩＣカードの負荷を切り替える、つまり非接触ＩＣカード側のアンテナ端のインピーダンスを変化させることで、キャリアを送出しているリーダライタ端末側のアンテナの負荷を増減させて、キャリア振幅を変動させるものである。このような方式によれば、リーダライタ端末側のアンテナ端におけるキャリア振幅の変動が検出されることで、レスポンスがリーダライタ端末側で受信される。
【０００６】
ところで、非接触ＩＣカード側にコマンドを送出してレスポンスを受信するリーダライタ端末側では、送信回路と受信回路とがアンテナを介して相互に接続されている。このため、コマンド送信中に、送信回路からの送信信号が自体の受信回路に回り込んでしまう。コマンド送信中に受信回路に回り込む入力信号の大振幅と、レスポンス受信入力信号の小振幅との差が大きい場合には、コマンド送信中の大振幅入力により受信回路内の増幅回路が飽和する。この飽和状態が解消されるまでは受信回路でレスポンスが受信できない。
【０００７】
図８は、従来のリーダライタ端末装置内の送信回路と受信回路の概略的な構成を示すブロック図である。送信回路２２と受信回路２３とは共にアンテナ２１に接続されている。受信回路２３は、検波回路２３ａ、ロウパスフィルタ回路（ＬＰＦ）２３ｂ、増幅回路２３ｅ及び２値化回路２３ｄからなる。
【０００８】
図９は、図８における要部の信号波形の一例を示しており、（ａ）はアンテナ波形、（ｂ）は検波回路２３ａの出力波形（検波波形）、（ｃ）は増幅回路２３ｅの入力波形、（ｄ）は２値化回路２３ｄの入力波形、（ｅ）は２値化回路２３ｄの出力波形である。
【０００９】
図９に示すように、コマンド送信期間には、送信回路２２においてコマンド（送信データ）によりキャリア信号が変調され、アンテナ２１から送出される。なお、図９では、このリーダライタ端末装置と非接触ＩＣカードとの間でデータの授受が行われる際に、キャリア信号が１００％変調される例を示している。送信期間直後の待機期間が経過した後、非接触ＩＣカードからレスポンスの送信が開始される。
【００１０】
ここで、コマンド送信期間では大振幅の信号がアンテナ２１を介して受信回路２３に回り込むので、受信回路２３内の検波回路２３ａ、ロウパスフィルタ回路２３ｂ、増幅回路２３ｅ及び２値化回路２３ｄがそれぞれ動作して、図９（ｅ）に示すようにコマンドに対応した２値化データが生成される。このとき、増幅回路２３ｅには大振幅の信号が入力しているので、コマンド送信期間直後の待機期間では増幅回路２３ｅが飽和動作する。この結果、レスポンス受信期間に入り、非接触ＩＣカードからのレスポンスを受信する際に、２値化回路２３ｄの入力波形がしきい値（ＶＲＥＦ）付近になかなか到達せず、レスポンス受信期間の初期のレスポンスが受信できなくなる。レスポンスを受信できない時間がボトルネックとなり、待機期間を短縮することができなくなり、通信システム全体のパフォーマンス向上が妨げられる。
【００１１】
上記のような問題は、リーダライタ端末装置と非接触ＩＣカードとの間だけではなく、リーダライタ端末装置の機能を有するリーダライタ端末部と、非接触ＩＣカードの機能を有する非接触ＩＣカード部とを共に備えた非接触データキャリアでも起こり得る。このような非接触データキャリアの例として、近距離データ通信機能を有する非接触ＩＣカード部を内蔵した携帯電話端末、ＰＤＡ（personal Digital Assistant）等が挙げられる。
【００１２】
なお、特許文献１には、音声と画像とを多重化して送信し、これを受信側で音声と画像とに分離して再生する音声・画像伝送装置において、画像ブロックが送信されているときは受信部の動作を停止させ、送信されている画像ブロックの送信が終了した時点で送信状態から受信状態に切り換えるようにしたものが記載されている。
【特許文献１】特開平１１−４６３５４号公報
【発明の開示】
【発明が解決しようとする課題】
【００１３】
この発明は上記のような事情を考慮してなされたものであり、その目的は、コマンド送信期間直後からレスポンス受信期間までの間の待機期間を短縮して、通信システム全体のパフォーマンスを向上させることができる非接触ＩＣカードのリーダライタ端末装置、非接触ＩＣカードとリーダライタ端末装置とを備えた通信システム及びリーダライタ端末部と非接触ＩＣカード部を備えた非接触データキャリアを提供することである。
【課題を解決するための手段】
【００１４】
この発明の非接触ＩＣカードのリーダライタ端末装置は、非接触ＩＣカードに対してコマンドを送信する送信回路と、前記非接触ＩＣカードからの送信信号を受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路とを具備している。
【００１５】
この発明の通信システムは、コマンドを受信してレスポンスを送信する非接触ＩＣカードと、アンテナを介して前記非接触ＩＣカードに対してコマンドを送信する送信回路と、前記非接触ＩＣカードからの送信信号を前記アンテナを介して受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路とを含むリーダライタ端末装置とを具備している。
【００１６】
この発明の非接触データキャリアは、アンテナを介してコマンドを送信する送信回路と、前記アンテナで受信された受信信号を受信する受信回路であって、この受信回路は受信信号を増幅する増幅回路を有し、前記増幅回路に設けられ前記受信信号が印加されるインピーダンス素子のインピーダンスを低下させて前記増幅回路の入力信号をミュートする受信回路とを含むリーダライタ端末部と、前記アンテナに接続され、前記アンテナを介してコマンドを受け、このコマンドに対応したレスポンスを前記アンテナから送信する非接触ＩＣカード部とを具備している。
【発明の効果】
【００１７】
この発明によれば、コマンド送信期間直後からレスポンス受信期間までの間の待機期間を短縮して、通信システム全体のパフォーマンスを向上させることができる。
【発明を実施するための最良の形態】
【００１８】
以下、図面を参照してこの発明を実施の形態により説明する。
【００１９】
図１は、この発明の第１の実施形態に係る通信システム全体の構成を示すブロック図である。ＰＣ（パーソナルコンピュータ）等からなるホストマシン１１にはリーダライタ端末装置１２が接続されている。リーダライタ端末装置１２は、非接触ＩＣカード１３との間でデータの授受を行う。リーダライタ端末装置１２と非接触ＩＣカード１３との間のデータの授受は、互いにアンテナを介して非接触の状態で行われる。
【００２０】
図２は、図１中のリーダライタ端末装置１２の概略的な構成を示すブロック図である。リーダライタ端末装置１２は、アンテナ２１、送信回路２２、受信回路２３及び論理回路２４を含む。論理回路２４から送信回路２２にキャリア信号と送信データとが供給され、送信回路２２で送信データによってキャリア信号が変調され、アンテナ２１に送出される。一方、アンテナ２１で受信された信号が受信回路２３で処理されることで受信データが生成され、論理回路２４に供給される。
【００２１】
受信回路２３は、アンテナ２１で受信された信号を検波する検波回路２３ａ、検波回路２３ａの出力が供給されるロウパスフィルタ回路（ＬＰＦ）２３ｂ、このロウパスフィルタ回路２３ｂの出力が供給される増幅回路２３ｃ、この増幅回路２３ｃの出力を２値化して受信データを生成する２値化回路２３ｄを含む。増幅回路２３ｃは、論理回路２４から出力されるミュート信号によりその動作が制御される。
【００２２】
図３は、図２に示す受信回路２３の詳細な回路構成の一例を示す。なお、図３では、受信回路２３と共にアンテナ２１と送信回路２２とが示されている。
【００２３】
検波回路２３ａは、直流遮断用のキャパシタ３１、検波ダイオード３２、互いに並列接続されたキャパシタ３３及び抵抗３４を含む。ロウパスフィルタ回路（ＬＰＦ）２３ｂは、抵抗３５とキャパシタ３６とから構成されている。増幅回路２３ｃは、直流遮断用のキャパシタ３７と、演算増幅器３８、演算増幅器３８の出力ノードと反転入力ノード（−）との間に接続された帰還用抵抗３９、演算増幅器３８の反転入力ノード（−）と基準電圧ＶＲＥＦのノードとの間に接続された抵抗４０からなる増幅器４１と、この増幅器４１の非反転入力ノード（＋）と基準電圧ＶＲＥＦのノードとの間に接続されたインピーダンス素子としての抵抗４２と、この抵抗４２に対して並列に接続され、論理回路２４から出力されるミュート信号によって導通制御されるスイッチ素子４３とから構成されている。
【００２４】
上記スイッチ素子４３としては、例えば、ソース、ドレイン間が抵抗４２に対して並列に接続され、ゲートにミュート信号が供給されるＭＯＳトランジスタを使用することができる。
【００２５】
２値化回路２３ｄは、増幅回路２３ｃの出力と基準電圧ＶＲＥＦとを比較する電圧コンパレータ４４で構成されている。なお、増幅回路２３ｃ及び２値化回路２３ｄに供給される基準電圧ＶＲＥＦの値は、例えば、受信回路２３に供給される電源電圧ＶＤＤと接地電圧ＧＮＤとのほぼ中間であり、この基準電圧ＶＲＥＦを発生する基準電圧源４５は受信回路２３内に設けられていてもよく、あるいは受信回路２３の外部に設けられていてもよい。また、ロウパスフィルタ回路（ＬＰＦ）２３ｂにおける時定数は、従来回路の場合と同様の値に設定されている。
【００２６】
次に、上記構成でなるリーダライタ端末装置の動作を図４に示す波形図を参照して説明する。図４は、図３の回路における要部の信号波形の一例を示しており、（ａ）はアンテナ波形、（ｂ）は検波回路２３ａの出力波形（検波波形）、（ｃ）は増幅回路２３ｃの入力波形、（ｄ）はミュート信号の波形、（ｅ）は２値化回路２３ｄの入力波形、（ｆ）は２値化回路２３ｄの出力波形（受信データ）である。
【００２７】
図４に示すように、コマンド送信期間には、送信回路２２においてコマンド（送信データ）によりキャリア信号が変調され、アンテナ２１から送出される。なお、図４では、リーダライタ端末装置と非接触ＩＣカードとの間でデータの授受が行われる際に、キャリア信号が１００％変調される場合を示している。
【００２８】
コマンド送信期間では、論理回路２４から出力されるミュート信号により、増幅回路２３ｃ内のスイッチ４３が継続して導通状態（SW ON）にされる。これにより、増幅回路２３ｃ内の抵抗４２の両端がこのスイッチ４３によって短絡され、インピーダンス素子としての抵抗４２のインピーダンスが低下する。この結果、増幅回路２３ｃに供給される入力信号の振幅が十分に小さくなるように減衰される。つまり、コマンド送信期間では、増幅回路２３ｃの入力信号がミュートされ、増幅回路２３ｃは飽和動作することなく、その出力は基準電圧ＶＲＥＦのレベルに設定される。
【００２９】
コマンド送信期間が終了し、待機期間に入ると、増幅回路２３ｃ内のスイッチ４３が非導通状態（SW OFF）にされる。そして、待機期間が経過した後に、非接触ＩＣカードからレスポンスの送信が開始される。非接触ＩＣカードにバッテリーが内蔵されていないバッテリーレスの非接触ＩＣカードの場合、アンテナを介して受信された受信信号から電源、システムクロック信号及び受信データが抽出される。そして、受信されたデータ（コマンド）がＣＰＵ等を含む制御回路で適切な処理が実行されることでレスポンスが作成される。作成されたレスポンスは、ロードスイッチング方式によってリーダライタ端末装置側に送信される。ロードスイッチング方式とは、先に説明したように、アンテナに対する負荷状態を切り替えることでデータを表現する方法である。
【００３０】
ここで、コマンド送信期間では、大振幅の信号がアンテナ２１を介して受信回路２３に回り込む。しかし、ミュート信号により増幅回路２３ｃ内のスイッチ４３が導通状態にされており、大振幅信号が増幅回路２３ｃに供給されることがなく、増幅回路２３ｃは飽和動作することがない。待機期間が経過すると、増幅回路２３ｃの入力信号のミュート状態が解除されるので、レスポンス受信期間の開始時点から直ちに入力信号を増幅することができ、２値化回路２３ｄで受信信号に対応した２値化データが生成される。
【００３１】
従来では、非接触ＩＣカード用のリーダライタ端末装置の待機期間が短い場合、非接触ＩＣカード側からレスポンスが送信された時に、初期のデータを受信することができず、通信品質が悪化していた。これに対し、上記実施形態のリーダライタ端末装置及び通信システムでは、リーダライタ端末装置の待機期間を短縮しても、レスポンス受信期間の初期からレスポンスを受信することができ、これにより通信品質の向上と通信及びシステム全体のパフォーマンスの向上を図ることができる。
【００３２】
なお、上記実施形態では、増幅回路２３ｃ内のスイッチ４３が、コマンド送信期間中に継続して導通状態（SW ON）にされる場合を説明した。しかし、図５の波形図に示すように、非接触ＩＣカードからのレスポンスの受信前の期間にスイッチ４３が一時的に導通状態（SW ON）にされるように、ミュート信号のタイミングを変更しても同様の効果を得ることができる。
【００３３】
図６は、図１中に示したリーダライタ端末装置１２及び非接触ＩＣカード１３それぞれの内部構成を具体化したブロック図である。リーダライタ端末装置１２内の論理回路２４は、受信処理回路（ＲＦ−ＲＸ）５１、送信処理回路（ＲＦ−ＴＸ）５２、クロック信号生成回路５３、不揮発性メモリ回路（ＮＶ）５４、ランダムアクセスメモリ回路（ＲＡＭ）５５、読み出し専用メモリ回路（ＲＯＭ）５６、ホストインターフェース（ホストＩＦ）５７、ＣＰＵ（中央演算処理ユニット）５８、コプロセッサ５９、割り込みコントローラ６０等を含む。
【００３４】
受信処理回路５１では、検波回路２３ａ、ロウパスフィルタ回路２３ｂ、増幅回路２３ｃ、及び２値化回路２３ｄからなる受信回路２３で受信された受信データを受けて同期処理、復号処理、シリアル／パラレル変換等が行われる。送信処理回路５２では、コマンド等が生成され、パラレル／シリアル変換、符号化処理、同期処理されることで、送信データ及びキャリアイネーブル信号が生成され、送信回路２２に供給される。クロック信号生成回路５３ではシステムクロック信号が生成され、さらにキャリア信号が生成されて送信回路２２に供給される。
【００３５】
不揮発性メモリ回路５４、ランダムアクセスメモリ回路５５、及び読み出し専用メモリ回路５６では、上述した各種処理が実行される際に必要とされるデータが格納される。ホストインターフェース５７では、ホストマシン１１との間でデータの授受が行われる。ＣＰＵ５８により、リーダライタ端末装置１２全体の動作が制御される。コプロセッサ５９では、例えば、送受信データの暗号化／復号化処理が行われる。割り込みコントローラ６０は、ＣＰＵ５８に対して割り込み処理を行う際に使用される。
【００３６】
非接触ＩＣカード１３は、アンテナ６１、整流回路６２、レギュレータ回路６３、ロウパスフィルタ回路（ＬＰＦ）６４、二値化回路６５、クロック信号抽出回路６６、クロック制御回路６７、受信処理回路（ＲＦ−ＲＸ）６８、送信処理回路（ＲＦ−ＴＸ）６９、不揮発性メモリ回路（ＮＶ）７０、ランダムアクセスメモリ回路（ＲＡＭ）７１、読み出し専用メモリ回路（ＲＯＭ）７２、ＣＰＵ（中央演算処理ユニット）７３、コプロセッサ７４、割り込みコントローラ７５、ロードスイッチング用のトランジスタ７６等を含む。
【００３７】
非接触ＩＣカード１３は、リーダライタ端末装置１２からのコマンドを受けてレスポンスを送信する。非接触ＩＣカード１３内の整流回路６２及びレギュレータ回路６３は、アンテナ６１で受信されたキャリアを整流し、安定化して、非接触ＩＣカード１３内で使用される電源を生成する。ロウパスフィルタ回路６４及び二値化回路６５により、アンテナ６１で受信された受信信号から受信データが生成される。受信データは受信処理回路６８に供給される。
【００３８】
クロック信号抽出回路６６及びクロック制御回路６７により、アンテナ６１で受信されたキャリアからクロック信号が抽出され、非接触ＩＣカード１３内で使用されるシステムクロック信号が生成される。
【００３９】
送信処理回路６９では送信データが生成され、この送信データに基づいて、一端が抵抗を介してアンテナ６１に接続されているロードスイッチング用のトランジスタ７６がスイッチ制御されることでデータ送信が行われる。
【００４０】
非接触ＩＣカード１３内の不揮発性メモリ回路７０、ランダムアクセスメモリ回路７１、読み出し専用メモリ回路７２、ＣＰＵ７３、コプロセッサ７４、及び割り込みコントローラ７５の機能は、リーダライタ端末装置１２内のそれぞれ対応するものと同様である。
【００４１】
図７は、この発明の第２の実施形態に係る非接触データキャリアの構成を示すブロック図である。ここでは、相互にデータ通信が行われる２つの非接触データキャリア１０１、１０２が示されている。非接触データキャリア１０１が非接触ＩＣカードとして機能している場合は、非接触データキャリア１０２が、キャリアやクロックを供給するリーダライタ端末装置として機能し、データ通信を行う。反対に、非接触データキャリア１０２が非接触ＩＣカードとして機能している場合は、非接触データキャリア１０１がリーダライタ端末装置として機能し、データ通信を行う。
【００４２】
前述したように、各非接触データキャリア１０１、１０２としては、例えば携帯電話端末やＰＤＡ等に内蔵されているものが挙げられる。また、前述したように、非接触データキャリア１０１、１０２はそれぞれ、リーダライタ端末装置の機能を有するリーダライタ端末部と、非接触ＩＣカードの機能を有する非接触ＩＣカード部とを備えている。
【００４３】
基本的には、各非接触データキャリア１０１、１０２はそれぞれ、図６に示すようなリーダライタ端末装置１２と非接触ＩＣカード１３と同様の回路構成を有する。従って、図６と対応する個所には図６中で使用されている符号を付して、その説明は省略する。ただし、リーダライタ端末装置１２と非接触ＩＣカード１３とで重複する回路、例えば、受信処理回路、送信処理回路、不揮発性メモリ回路、ランダムアクセスメモリ回路、読み出し専用メモリ回路、ＣＰＵ、コプロセッサ、割り込みコントローラ等については、それぞれ１つのみ設けられる。これらの重複する回路については、リーダライタ端末装置１２で使用されている符号をそれぞれ付している。
【００４４】
また、非接触データキャリア１０１、１０２では、受信処理回路５１と送信処理回路５２とがリーダライタ端末部と非接触ＩＣカード部とで共用されるので、新たに切替制御回路１１１と２個の切替回路１１２、１１３が追加されている。切替制御回路１１１は、アプリケーションに応じて切替信号を生成する。
【００４５】
一方の切替回路１１２では、リーダライタ端末部の二値化回路２３ｄ及び非接触ＩＣカード部の二値化回路６５で生成される受信データが切替信号に応じて切り替えられ、受信処理回路５１に供給される。他方の切替回路１１３では、送信処理回路５２で生成される送信データが切替信号に応じて切り替えられ、送信回路２２又はロードスイッチング用のトランジスタ７６に供給される。
【００４６】
ここで、リーダライタ端末部の受信回路内の増幅回路２３ｃでは、論理回路２４から出力されるミュート信号に応じて、先の図４に示すようにコマンド送信期間中継続して、もしくは先の図５に示すように他の非接触データキャリアからのレスポンスの受信前の期間に一時的に、スイッチ素子４３が導通状態にされる。この結果、増幅回路２３ｃの入力信号がミュートされ、増幅回路２３ｃは飽和動作することなく、その出力は基準電圧ＶＲＥＦのレベルに設定される。
【００４７】
コマンド送信期間では、大振幅の信号がアンテナ２１を介してリーダライタ端末部の受信回路２３に回り込む。しかし、ミュート信号により増幅回路２３ｃ内のスイッチ４３が導通状態にされており、大振幅信号が増幅回路２３ｃに供給されることがなく、増幅回路２３ｃ内の増幅器４１は飽和動作することがない。待機期間が経過すると、増幅回路２３ｃの入力信号のミュート状態が解除されるので、レスポンス受信期間の開始時点から直ちに入力信号を増幅することができ、２値化回路２３ｄで受信信号に対応した２値化データが生成される。
【００４８】
すなわち、本実施形態の非接触データキャリアにおいても、リーダライタ端末部の待機期間を短縮しても、レスポンス受信期間の初期からレスポンスを受信することができ、これにより通信品質の向上と通信及びシステム全体のパフォーマンスの向上を図ることができる。
【００４９】
なお、非接触データキャリアの構成は図示されたものに限定されるものではなく、要するにリーダライタ端末部と非接触ＩＣカード部の両機能を有するものであればよい。
【図面の簡単な説明】
【００５０】
【図１】この発明の第１の実施形態に係る通信システム全体の構成を示すブロック図。
【図２】図１中のリーダライタ端末装置の概略的な構成を示すブロック図。
【図３】図２中に示す受信回路の詳細な構成の一例を示す回路図。
【図４】図１中のリーダライタ端末装置の要部の波形を示す波形図。
【図５】第１の実施形態の変形例によるリーダライタ端末装置の要部の波形を示す波形図。
【図６】図１中に示したリーダライタ端末装置及び非接触ＩＣカードそれぞれの内部構成を具体化したブロック図。
【図７】この発明の第２の実施形態に係る非接触データキャリアの構成を示すブロック図。
【図８】従来のリーダライタ端末装置内の送信回路と受信回路の概略的な構成を示すブロック図。
【図９】図８の回路における要部の信号波形の一例を示す波形図。
【符号の説明】
【００５１】
１１…ホストマシン、１２…リーダライタ端末装置、１３…非接触ＩＣカード（ＩＣカード）、２１…アンテナ、２２…送信回路、２３…受信回路、２３ａ…検波回路、２３ｂ…ロウパスフィルタ回路（ＬＰＦ）、２３ｃ…増幅回路、２３ｄ…２値化回路、２４…論理回路、４１…増幅器、４２…抵抗。
【図１】
2005242989.tif 000003
【図２】
2005242989.tif 000004
【図３】
2005242989.tif 000005
【図４】
2005242989.tif 000006
【図５】
2005242989.tif 000007
【図６】
2005242989.tif 000008
【図７】
2005242989.tif 000009
【図８】
2005242989.tif 000010
【図９】
2005242989.tif 000011